【手続補正書】
【提出日】平成25年4月25日(2013.4.25)
【手続補正１】
【補正対象書類名】明細書
【補正対象項目名】００４９
【補正方法】変更
【補正の内容】
【００４９】
図１の先行技術に対し本発明が提供する回収効率の改善は、主に３つの要因に起因するものである。第１に、処理集合体１１８内の原料冷却部１１８ａと精留部１１８ｂの熱交換手段のコンパクトな構成が従来の処理プラントに見られる相互接続配管により課される圧力降下を取り除く。その結果は、圧縮機１６へ流れる残留ガスは先行技術に比し本発明では圧力がより高く、従って圧縮機２３に流入する残留ガスは相当により高い圧力となり、それによって本発明が必要とする動力を低減し、残留ガスを配管圧力に戻すというものである。
【手続補正２】
【補正対象書類名】明細書
【補正対象項目名】００７０
【補正方法】変更
【補正の内容】
【００７０】
本発明によれば、蒸留蒸気と液体流からの流入ガスに利用可能な冷却を補充する外部冷蔵の使用を、特に高濃度の流入ガスの場合に採用することができる。この種の場合、熱および物質移動手段を図３，４内の点線が示す如く分離器部分１１８ｅ（あるいは冷却された原料流３１ａが全く液体を含まないときのこの種の場合のガス捕集手段）内に含めることができ、あるいは熱および物質移動手段を図５，６の点線で示す分離器１２内に含めることができる。この熱および物質移動手段は、マルチパスおよび／またはマルチサービス熱交換器を含むフィン・チューブ型熱交換器やプレート型熱交換器や鑞付けアルミニウム型熱交換器や他種の熱交換装置で構成することができる。熱および物質移動手段は、熱および物質移動手段の一つのパスを介して流れる冷媒流（例えば、プロパン）と上方へ流れる流れ３１ａの蒸気部分との間の熱交換をもたらし、従って冷媒がさらに蒸気を冷却し、追加の液体を凝縮させ、この液体が下方に落下して流れ３５内の除去された液体の一部となるよう構成してある。別の選択肢として、在来型の１（または複数）のガス冷却器を用い、流れ３１ａが分離器部分１１８ｅ（図３，４）あるいは分離器１２（図５，６）に流入する前に冷媒を用いて流れ３２ａや流れ３３ａおよび／または流れ３１ａを冷却しうる。
【手続補正３】
【補正対象書類名】明細書
【補正対象項目名】００７４
【補正方法】変更
【補正の内容】
【００７４】
本発明の図３，５の実施形態に対するより好適度の少ない選択肢は、冷却された第１の部分３２ａ用の分離器容器と冷却された第２の部分３３ａ用の分離器容器を配設し、その中に分離された蒸気流を混合して蒸気流３４を形成するとともにその中に分離された液体流を混合して液体流３５を形成するものである。本発明の別のより好適度の少ない選択肢は、（流れ３７に流れ３６を混合して混合流３８を形成するのではなく）原料冷却部１１８ａ内の別個の膨張装置内で流れ３７を冷却し、この冷却流を別個の膨張装置内で膨張させ、膨張流を精留部１１８ｂ内の熱および物質移動手段か吸収部１１８ｃの上部領域のいずれかに供給するものである。
【手続補正４】
【補正対象書類名】特許請求の範囲
【補正対象項目名】全文
【補正方法】変更
【補正の内容】
【特許請求の範囲】
【請求項１】
メタンとＣ２成分とＣ３成分とより重質の炭化水素成分を含むガス流を、揮発性残留ガス留分と、前記Ｃ２成分とＣ３成分とより重質の炭化水素成分の主要部分または前記Ｃ３成分とより重質の炭化水素成分を含む比較的揮発性の低い留分とに分離するプロセスであって、
（１）前記ガス流を第１の部分と第２の部分とに分割する工程と、
（２）前記第１の部分を冷却する工程と、
（３）前記第２の部分を冷却する工程と、
（４）前記冷却された第１の部分と前記冷却された第２の部分とを混合し、冷却されたガス流を形成する工程と、
（５）前記冷却されたガス流を第１の流れと第２の流れとに分割する工程と、
（６）前記第１の流れを冷却し、実質その全てを凝縮し、その後により低い圧力に膨張させ、それによってこれをさらに冷却する工程と、
（７）前記膨張冷却された第１の流れを加熱し、その後に蒸気留分と液体留分として放出する工程と、
（８）前記液体留分を第１の頂部原料として処理集合体内に収容された吸収手段に供給する工程と、
（９）前記第２の流れを前記より低い圧力に膨張させ、底部原料として前記吸収手段に供給する工程と、
（１０）前記吸収手段の上部領域から第１の蒸留蒸気流を捕集し、前記蒸気留分を混合して混合蒸気流を形成する工程と、
（１１）前記混合蒸気流を前記処理集合体内に収容された第１の熱および物質移動手段内で冷却し、それによって前記加熱工程（７）の少なくとも一部を供給し、一方同時に前記混合蒸気流から揮発性のより低い成分を凝縮し、それによって凝縮流と第２の蒸留蒸気流を形成する工程と、
（１２）前記凝縮流を第２の頂部原料として前記吸収手段に供給する工程と、
（１３）前記第２の蒸留蒸気流を前記処理集合体内の１以上の熱交換手段内で加熱し、それによって前記冷却工程（２）および（６）の少なくとも一部を供給し、その後に前記加熱された第２の蒸留蒸気流を前記揮発性残留ガス留分として前記処理集合体から放出する工程と、
（１４）蒸留液体流を前記吸収手段の下部領域から捕集し、前記処理集合体内に収容された第２の熱および物質移動手段内で加熱し、それによって前記冷却工程（３）の少なくとも一部を供給し、一方同時に前記蒸留液体流から揮発性のより高い成分を分解し、その後に前記加熱分解された蒸留液体流を前記処理集合体から前記比較的揮発性の低い留分として放出させる工程と、
（１５）前記吸収手段に対する前記原料流の量と温度を、前記吸収手段の前記上部領域の温度を所定温度に維持するのに有効とし、それによって前記比較的揮発性の低い留分中の前記成分の主要部分を回収する工程とを含む、プロセス。
【請求項２】
（ａ）前記冷却された第１の部分と前記冷却された第２の部分とを混合し、一部凝縮したガス流を形成する工程と、
（ｂ）前記一部凝縮したガス流を分離手段に供給し、その中で分離して蒸気流と少なくとも一つの液体流を供給する工程と、
（ｃ）前記蒸気流を第１と第２の流れに分割する工程と、
（ｄ）前記少なくとも一つの液体流の少なくとも一部を前記より低い圧力に膨張させ、前記吸収手段下側でかつ前記第２の熱および物質移動手段上側の前記処理集合体に原料として供給する工程とを含む、請求項１に記載のプロセス。
【請求項３】
（ａ）前記第１の流れを前記少なくとも一つの液体流の少なくとも一部と混合して混合流を形成する工程と、
（ｂ）前記混合流を冷却してその実質全てを凝縮させ、その後により低い圧力に膨張させ、それによってこれをさらに冷却する工程と、
（ｃ）前記膨張させ冷却した混合流を加熱し、その後に蒸気留分と液体留分として放出する工程と、
（ｄ）前記少なくとも一つの液体流の全ての残留部分を前記より低い圧力に膨張させ、前記吸収手段下側でかつ前記第２の熱および物質移動手段上側の前記処理集合体に原料として供給する工程とを含む、請求項２に記載のプロセス。
【請求項４】
（ａ）前記ガス流を冷却する工程と、
（ｂ）前記冷却されたガス流を第１の流れと第２の流れとに分割する工程と、
（ｃ）前記吸収手段の下部領域から前記蒸留液体流を捕集し、前記第２の熱および物質移動手段内で加熱し、それによって同時に前記蒸留液体流から揮発性のより高い成分を分解し、その後に前記処理集合体から前記加熱分解された蒸留液体流を前記比較的揮発性の低い留分として放出させる工程とを含む、請求項１に記載のプロセス。
【請求項５】
（ａ）前記ガス流を十分に冷却してこれを一部凝縮させる工程と、
（ｂ）前記一部凝縮したガス流を分離手段に供給し、その中で分離し、蒸気流と少なくとも一つの液体流を供給する工程と、
（ｃ）前記蒸気流を第１と第２の流れに分割する工程と、
（ｄ）前記少なくとも一つの液体流の少なくとも一部を前記より低い圧力に膨張させ、前記吸収手段下側でかつ前記第２の熱および物質移動手段上側の前記処理集合体に原料として供給する工程とを含む、請求項４に記載のプロセス。
【請求項６】
（ａ）前記第１の流れに前記少なくとも一つの液体流の少なくとも一部を混合し、混合流を形成する工程と、
（ｂ）前記混合流を冷却し、実質その全てを凝縮し、その後により低い圧力に膨張させ、それによってこれをさらに冷却する工程と、
（ｃ）前記膨張させ冷却した混合流を加熱し、その後に蒸気留分と液体留分として放出する工程と、
（ｄ）前記少なくとも一つの液体流の全ての残留部分を前記より低い圧力に膨張させ、前記吸収手段下側でかつ前記第２の熱および物質移動手段上側の前記処理集合体に原料として供給する工程とを含む、請求項５に記載のプロセス。
【請求項７】
前記分離手段は前記処理集合体内に収容してある、請求項２，３，５，６のいずれか１項に記載のプロセス。
【請求項８】
（１）前記処理集合体内にガス捕集手段が収容してあり、
（２）前記ガス捕集手段内部に追加の熱および物質移動手段が含まれ、該追加の熱および物質移動手段が外部冷媒用の１以上のパスを含み、
（３）前記冷却されたガス流を前記ガス捕集手段に供給し、前記追加の熱および物質移動手段に導き、前記外部冷媒によりさらに冷却し、
（４）前記さらに冷却されたガス流を前記第１と第２の流れに分割する、請求項１または４に記載のプロセス。
【請求項９】
（１）前記分離手段内に追加の熱および物質移動手段が含まれ、該追加の熱および物質移動手段が外部冷媒用の１以上のパスを含み、
（２）前記蒸気流を前記追加の熱および物質移動手段に導き、前記外部冷媒により冷却して追加の凝縮液を形成し、
（３）前記追加の凝縮液をその中に分離された前記少なくとも一つの液体流の一部とする、請求項２，３，５，６，７のいずれか１項に記載のプロセス。
【請求項１０】
（１）前記第２の熱および物質移動手段上方の前記処理集合体内に追加の吸収手段が含まれ、
（２）前記追加の吸収手段は、前記吸収手段からの前記蒸留液体流に前記第２の熱および物質移動手段からの前記分解された揮発性のより高い成分との接触をもたらし、それによって第３の蒸留蒸気流と一部分解された蒸留液体流を生成するよう構成してあり、
（３）前記第３の蒸留蒸気流を前記吸収手段の前記下部領域に供給し、
（４）前記一部分解された蒸留液体流を前記第２の熱および物質移動手段に供給して加熱し、それによってこれをさらに分解し、前記比較的揮発性の低い留分として前記処理集合体から放出される前記加熱分解された蒸留液体流を形成する、請求項１，２，３，４，５，６，７，８，９のいずれか１項に記載のプロセス。
【請求項１１】
前記第２の熱および物質移動手段は、外部加熱媒体が前記第２の部分が供給する熱を補充し、前記蒸留液体流から前記揮発性のより高い成分を分解させる１以上のパスを含む、請求項１，２，３，７，８，９，１０のいずれか１項に記載のプロセス。
【請求項１２】
メタンとＣ２成分とＣ３成分とより重質の炭化水素成分を含むガス流を、揮発性残留ガス留分と、前記Ｃ２成分とＣ３成分とより重質の炭化水素成分の主要部分または前記Ｃ３成分とより重質の炭化水素成分を含む比較的揮発性の低い留分とに分離する装置であって、
（１）前記ガス流を第１の部分と第２の部分とに分割する第１の分割手段と、
（２）処理集合体内に収容されて前記第１の分割手段に接続され、前記第１の部分を受け入れてこれを冷却する第１の熱交換手段と、
（３）前記処理集合体内に収容され、前記第１の分割手段に接続され、前記第２の部分を受け入れてこれを冷却する第１の熱および物質移動手段と、
（４）前記第１の熱交換手段と前記第１の熱および物質移動手段とに接続され、前記冷却された第１の部分と前記冷却された第２の部分とを受け入れ、冷却されたガス流を形成する第１の混合手段と、
（５）前記第１の混合手段に接続され、前記冷却されたガス流を受け入れてこれを第１の流れと第２の流れに分割する第２の分割手段と、
（６）前記処理集合体内に収容されて前記第２の分割手段に接続され、前記第１の流れを受け入れてこれを十分に冷却して実質凝縮させる第２の熱交換手段と、
（７）前記第２の熱交換手段に接続され、前記実質凝縮させた第１の流れを受け入れてこれをより低い圧力に膨張させる第１の膨張手段と、
（８）前記処理集合体内に収容されて前記第１の膨張手段に接続され、前記膨張冷却された第１の流れを受け入れてこれを加熱し、その後に該加熱膨張した第１の流れを蒸気留分と液体留分として放出する第２の熱および物質移動手段と、
（９）前記処理集合体内に収容されて前記第２の熱および物質移動手段に接続され、前記液体留分をそこへの第１の頂部原料として受け入れる吸収手段と、
（１０）前記第２の分割手段に接続され、前記第２の流れを受け入れてこれを前記より低い圧力に膨張させる第２の膨張手段で、さらに前記吸収手段に接続され、前記膨張させた第２の流れをそこへの底部原料として供給する前記第２の膨張手段と、
（１１）前記処理集合体内に収容されて前記吸収手段に接続され、前記吸収手段の上部領域から第１の蒸留蒸気流を受け入れる蒸気捕集手段と、
（１２）前記処理集合体内に収容されて前記蒸気捕集手段と前記第２の熱および物質移動手段とに接続され、前記第１の蒸留蒸気流と前記蒸気留分とを受け入れ、混合蒸気流を形成する第２の混合手段を備え、
（１３）前記第２の熱および物質移動手段はさらに前記第２の混合手段に接続され、前記混合蒸気流を受け取ってこれを冷却し、それによって前記加熱工程（８）の少なくとも一部を供給し、一方同時に前記混合蒸気流から揮発性のより低い成分を凝縮させ、それによって凝縮流と第２の蒸留蒸気流とを形成し、
（１４）前記吸収手段はさらに前記第２の熱および物質移動手段に接続され、前記凝縮流をそこへの第２の頂部原料として受け入れ、
（１５）前記第２の熱交換手段はさらに前記第２の熱および物質移動手段に接続され、前記第２の蒸留蒸気流を受け入れてこれを加熱し、それによって前記冷却工程（６）の少なくとも一部を供給し、
（１６）前記第１の熱交換手段はさらに前記第２の熱交換手段に接続され、前記加熱された第２の蒸留蒸気流を受け入れてこれをさらに加熱し、それによって前記冷却工程（２）の少なくとも一部を供給し、その後に前記さらに加熱した第２の蒸留蒸気流を前記処理集合体から前記揮発性残留ガス留分として放出し、
（１７）前記処理集合体内に収容されて前記吸収手段に接続され、該吸収手段の下部領域から蒸留液体流を受け入れる液体捕集手段をさらに備え、
（１８）前記第１の熱および物質移動手段はさらに前記液体捕集手段に接続され、前記蒸留液体流を受け入れてこれを加熱し、それによって前記冷却工程（３）の少なくとも一部を供給し、一方同時に前記蒸留液体流から揮発性のより高い成分を分解し、その後に前記加熱分解された蒸留液体流を前記処理集合体から前記比較的揮発性の低い留分として放出し、
（１９）前記吸収手段に対する前記原料流の量と温度を調節し、前記吸収手段の前記上部領域の温度を所定温度に維持し、それによって前記比較的揮発性の低い留分中の前記成分の主要部分を回収するよう適合させた制御手段をさらに備える、装置。
【請求項１３】
（ａ）前記第１の混合手段は、前記第１の熱交換手段と前記第１の熱および物質移動手段とに接続され、前記冷却された第１の部分と前記冷却された第２の部分とを受け入れ、一部凝縮したガス流を形成し、
（ｂ）分離手段が、前記第１の混合手段に接続され、前記一部凝縮したガス流を受け入れ、これを蒸気流と少なくとも一つの液体流とに分離し、
（ｃ）前記第２の分割手段は、前記分離手段に接続され、前記蒸気流を受け入れ、これを第１と第２の流れに分割し、
（ｄ）第３の膨張手段は、前記分離手段に接続され、前記少なくとも一つの液体流の少なくとも一部を受け入れ、これを前記より低い圧力に膨張させ、さらに前記処理集合体に接続され、その前記吸収手段下側でかつ前記第１の熱および物質移動手段上側に前記膨張した液体流を原料として供給する、請求項１２に記載の装置。
【請求項１４】
（ａ）第３の混合手段が、前記第２の分割手段と前記分離手段とに接続され、前記第１の流れと前記少なくとも一つの液体流の少なくとも一部を受け入れ、混合流を形成し、
（ｂ）前記第２の熱交換手段は、前記第２の混合手段に接続され、前記混合流を受け入れてこれを十分に冷却して実質凝縮させ、
（ｃ）前記第１の膨張手段は、前記第２の熱交換手段に接続され、前記実質凝縮させた混合流を受け入れてこれをより低い圧力に膨張させ、
（ｄ）前記第２の熱および物質移動手段は、前記第１の膨張手段に接続され、前記膨張させ冷却した混合流を受け入れてこれを加熱し、その後に前記加熱膨張した混合流を蒸気留分と液体留分として放出し、
（ｅ）前記第３の膨張手段は、前記分離手段に接続され、前記少なくとも一つの液体流の全ての残留部分を受け入れ、これを前記より低い圧力に膨張させ、さらに前記処理集合体に接続され、その前記吸収手段下側でかつ前記第１の熱および物質移動手段上側に前記膨張した液体流を原料として供給する、請求項１３に記載の装置。
【請求項１５】
（ａ）前記第１の熱交換手段は、前記処理集合体内に収容され、前記ガス流を冷却し、
（ｂ）前記第２の分割手段は、前記第１の熱交換手段に接続され、前記冷却されたガス流を受け入れ、これを第１と第２の流れに分割し、
（ｃ）第１の熱および物質移動手段は、前記液体捕集手段に接続され、前記蒸留液体流を受け入れてこれを加熱し、それによって前記蒸留液体流から揮発性のより高い成分を同時に分解し、その後に前記加熱分解された蒸留液体流を前記処理集合体から前記比較的揮発性の低い留分として放出する、請求項１２に記載の装置。
【請求項１６】
（ａ）前記第１の熱交換手段は、前記処理集合体内に収容され、前記ガス流を十分冷却してこれを一部凝縮させ、
（ｂ）分離手段が、前記第１の熱交換手段に接続され、前記一部凝縮したガス流を受け入れ、これを蒸気流と少なくとも一つの液体流とに分離し、
（ｃ）前記第２の分割手段は、前記分離手段に接続され、前記蒸気流を受け入れ、これを第１と第２の流れに分割し、
（ｄ）第３の膨張手段が、前記分離手段に接続され、前記少なくとも一つの液体流の少なくとも一部を受け入れ、これを前記より低い圧力に膨張させ、さらに前記処理集合体に接続され、その前記吸収手段下側でかつ前記熱および物質移動手段上側に前記膨張した液体流を原料として供給する、請求項１５に記載の装置。
【請求項１７】
（ａ）さらなる混合手段が、前記分割手段と前記分離手段とに接続され、前記第１の流れと前記少なくとも一つの液体流の少なくとも一部とを受け入れ、混合流を形成し、
（ｂ）前記第２の熱交換手段は、前記さらなる混合手段に接続され、前記混合流を受け入れてこれを十分に冷却して実質凝縮させ、
（ｃ）前記第１の膨張手段は、前記第２の熱交換手段に接続され、前記実質凝縮させた混合流を受け入れてこれをより低い圧力に膨張させ
（ｄ）前記第２の熱および物質移動手段は、前記第１の膨張手段に接続され、前記膨張させ冷却した混合流を受け入れてこれを加熱し、その後に前記加熱膨張した混合流を蒸気留分と液体留分として放出し、
（ｅ）前記第３の膨張手段は、前記分離手段に接続され、前記少なくとも一つの液体流の全ての残留部分を受け入れ、これを前記より低い圧力に膨張させ、さらに前記処理集合体に接続され、その前記吸収手段下側でかつ前記熱および物質移動手段上側に前記膨張した液体流を原料として供給する、請求項１６に記載の装置。
【請求項１８】
前記分離手段は前記処理集合体内に収容してある、請求項１３，１４，１６，１７のいずれか１項に記載の装置。
【請求項１９】
（１）前記処理集合体内にガス捕集手段が収容してあり、
（２）前記ガス捕集手段内部に追加の熱および物質移動手段が含まれ、該追加の熱および物質移動手段が外部冷媒用の１以上のパスを含み、
（３）前記ガス捕集手段を前記第１の混合手段に接続し、前記冷却されたガス流を受け入れ、これを前記追加の熱および物質移動手段へ誘導し、該外部冷媒によりさらに冷却されるようにし、
（４）前記第１の分割手段を前記ガス捕集手段に接続し、前記さらに冷却されたガス流を受け入れてこれを前記第１の流れと前記第２の流れに分割するよう適合させた、請求項１２に記載の装置。
【請求項２０】
（１）前記処理集合体内にガス捕集手段が収容してあり、
（２）前記ガス捕集手段内部に追加の熱および物質移動手段が含まれ、該追加の熱および物質移動手段が外部冷媒用の１以上のパスを含み、
（３）前記ガス捕集手段を前記第１の熱交換手段に接続し、前記冷却されたガス流を受け入れ、これを前記追加の熱および物質移動手段へ誘導し、該外部冷媒によりさらに冷却されるようにし、
（４）前記分割手段を前記ガス捕集手段に接続し、前記さらに冷却されたガス流を受け入れてこれを前記第１の流れと前記第２の流れに分割するよう適合させた、請求項１５に記載の装置。
【請求項２１】
（１）追加の熱および物質移動手段を前記分離手段内部に含ませ、該追加の熱および物質移動手段が外部冷媒用の１以上のパスを含み、
（２）前記蒸気流を前記追加の熱および物質移動手段に導いて前記外部冷媒により冷却し、追加の凝縮液を形成し、
（３）前記追加の凝縮液をその中で分離される前記少なくとも一つの液体流の一部とする、請求項１３，１４，１６，１７，１８のいずれか１項に記載の装置。
【請求項２２】
（１）追加の吸収手段を前記第１の熱および物質移動手段上方の前記処理集合体内に含ませ、前記第１の熱および物質移動手段に接続し、前記分解された揮発性のより高い成分を受け入れ、
（２）前記追加の吸収手段をさらに前記液体捕集手段に接続し、前記蒸留液体流を受け入れ、該蒸留液体流と前記分解された揮発性のより高い成分との接触をもたらし、それによって第３の蒸留蒸気流と一部分解された蒸留液体流とを形成し、
（３）前記吸収手段を前記追加の吸収手段に接続し、前記第３の蒸留蒸気流を受け入れてこれを前記吸収手段の前記下部領域に供給するよう適合させ、
（４）前記第１の熱および物質移動手段を前記追加の吸収手段に接続し、前記一部分解された蒸留液体流を受け入れてこれを加熱し、それによってこれをさらに分解し、前記処理集合体から前記比較的揮発性の低い留分として放出される前記加熱分解された蒸留液体流を形成するよう適合させた、請求項１２，１３，１４，１８，１９，２１のいずれか１項に記載の装置。
【請求項２３】
（１）追加の吸収手段を前記第２の熱および物質移動手段上方の前記処理集合体内に含ませ、前記第２の熱および物質移動手段に接続し、前記分解された揮発性のより高い成分を受け入れ、
（２）前記追加の吸収手段をさらに前記液体捕集手段に接続し、前記蒸留液体流を受け入れ、該蒸留液体流と前記分解された揮発性のより高い成分との接触をもたらし、それによって第３の蒸留蒸気流と一部分解された蒸留液体流とを形成し、
（３）前記吸収手段を前記追加の吸収手段に接続し、前記第３の蒸留蒸気流を受け入れてこれを前記吸収手段の前記下部領域に供給するよう適合させ、
（４）前記第２の熱および物質移動手段を前記追加の吸収手段に接続し、前記一部分解された蒸留液体流を受け入れてこれを加熱し、それによってこれをさらに分解し、前記処理集合体から前記比較的揮発性の低い留分として放出される前記加熱分解された蒸留液体流を形成するよう適合させた、請求項１５，１６，１７，１８，２０，２１のいずれか１項に記載の装置。
【請求項２４】
前記第１の熱および物質移動手段は、前記第２の部分が供給する前記熱を補充して前記蒸留液体流から前記揮発性のより高い成分を分解する外部加熱媒体用の１以上のパスを含む、請求項１２，１３，１４，１８，１９，２１，２２，２３のいずれか１項に記載の装置。